(57)【要約】      （修正有）【課題】独自に着色されたブレスレット又はネックレスを作るための材料を含むキットは、常にある程度の人気を有している。しかしながら、そのようなキットは、通常、異なる色に着色された糸及びビーズのような原材料を含むだけであり、使用可能で望ましいアイテムを作成することは個人の技量と才能に依存しているので、これを容易に行えるようにする。【解決手段】ブルニアンリンク１２とは、チェインを形成するために、別の閉じたループを捕捉するように自身に対して折り畳まれた閉じたループから形成されたリンクである。さらなる審美的なオプションを追加するためにリンクと共に１つ以上のチャーム２４が含まれ得る。【選択図】図１
2020189075.tif 000002
【特許請求の範囲】
【請求項１】
チャーム部と、
取り付け部と
を備え、前記取り付け部は、前記チャーム部を隣接するチャームのチャーム部と整列させるための少なくとも１つの整列部及び取り付け開口を含む、チャーム。
【請求項２】
前記整列部は、前記取り付け部の少なくとも１つの側部に配置される、請求項１に記載のチャーム。
【請求項３】
前記整列部は、平坦な表面を備える、請求項２に記載のチャーム。
【請求項４】
前記平坦な表面は、前記取り付け部の前面に対して垂直である、請求項３に記載のチャーム。
【請求項５】
前記取り付け部は、第２の側部から間隔が開いて設けられる第１の側部を備え、前記整列部は、前記第１の側部における第１の平坦な表面及び前記第２の側部における第２の平坦な表面を備える、請求項１に記載のチャーム。
【請求項６】
前記第１の平坦な表面及び前記第２の平坦な表面は、互いに対して実質的に平行である、請求項５に記載のチャーム。
【請求項７】
前記第１の平坦な表面及び前記第２の平坦な表面の少なくとも１つは、互いに対して角度が付けられている、請求項６に記載のチャーム。
【請求項８】
前記取り付け部は、前記第１の平坦な側部と前記第２の平坦な側部との間に取り付け幅を含み、前記チャーム部は、前記取り付け幅よりも小さなチャーム幅を含む、請求項５に記載のチャーム。
【請求項９】
前記取り付け部及び前記チャーム部は、共通の厚みを有する、請求項１に記載のチャーム。
【請求項１０】
前記取り付け開口は、直線的な側部並びに曲線のある上端及び底端を含む、請求項１に記載のチャーム。
【請求項１１】
前記取り付け開口は、円形部を備える、請求項１に記載のチャーム。
【請求項１２】
前記チャームは、単一の連続的な一体化部を含む、請求項１に記載のチャーム。
【請求項１３】
チャームを含むリンクアイテムであって、
リンクされた複数の弾性バンドと、
互いに隣接する前記複数の弾性バンド内にリンクされた少なくとも２つのチャームと
を備え、前記少なくとも２つのチャームの各々は、チャーム部及び取り付け部を含み、前記取り付け部は、前記複数の弾性バンドの少なくとも１つを入れるための取り付け開口、及び前記複数の弾性バンド内にリンクされた前記少なくとも２つのチャームの一方の前記チャーム部を前記少なくとも２つのチャームの他方と整列させるための少なくとも１つの整列部を含む、リンクアイテム。
【請求項１４】
前記整列部は、前記取り付け部の少なくとも１つの側部における平坦な表面を備える、請求項１３に記載のリンクアイテム。
【請求項１５】
前記整列部は、前記取り付け部の各側部において互いに対して実質的に平行な平坦な表面を備える、請求項１３に記載のリンクアイテム。
【請求項１６】
前記取り付け部は、第１の側部と第２の側部との間に第１の幅を有し、前記チャームは、前記第１の幅よりも小さな第２の幅を有する、請求項１３に記載のリンクアイテム。
【発明の詳細な説明】
【技術分野】
【０００１】
本開示は、整列したブレスレットチャーム及びチャームを含むリンクアイテムに関する。
【背景技術】
【０００２】
独自に着色されたブレスレット又はネックレスを作るための材料を含むキットは、常にある程度の人気を有している。しかしながら、そのようなキットは、通常、異なる色に着色された糸及びビーズのような原材料を含むだけであり、使用可能で望ましいアイテムを作成することは個人の技量と才能に依存している。
【発明の概要】
【０００３】
ブルニアンリンクとは、チェインを形成するために、別の閉じたループを捕捉するように自身に対して折り畳まれた閉じたループから形成されたリンクである。このようなリンクを形成するために弾性バンドが利用され得る。本開示の例示的なチャームは、一連のこのような弾性バンドにリンクされ得る。本開示の例示的なチャームは、隣接するチャームを整列させるための少なくとも１つの整列機構を含む。
【０００４】
異なる例示が図示された特定のコンポーネントを有しているが、本発明の実施形態はこれらの特定の組み合わせに限定されない。ある例示のコンポーネント又は特徴のいくつかを別の例示の特徴又はコンポーネントと組み合わせて使用することも可能である。
【０００５】
本明細書に開示されたこうした特徴及び他の特徴は、以下の明細書及び図面から最良に理解することができる。以下は図面の簡単な説明である。
【図面の簡単な説明】
【０００６】
【図１】リンクされた弾性バンドから形成された例示的なブレスレットへとリンクされた例示的なチャームの斜視図である。
【図２】例示的な弾性バンド内にリンクされた例示的なチャームの拡大図である。
【図３】例示的なチャームの実施形態の斜視図である。
【図４】例示的なチャームの実施形態の正面図である。
【図５】例示的なチャームの実施形態の側面図である。
【図６】複数の隣接する例示的なチャームの正面図である。
【図７】別の例示的なチャームの実施形態の正面図である。
【図８】別の例示的なチャームの実施形態の正面図である。
【図９】別の例示的なチャームの実施形態の正面図である。
【発明を実施するための形態】
【０００７】
図１及び２を参照すると、例示的なリンクアイテム１０が概略的に示されており、ブルニアンリンク１２を使用して複数の弾性バンドから形成されている。ブルニアンリンクは、実際の結び目を形成することなく、弾性バンド１４等の２つの連続的にループした構造の間に形成される。複数の弾性バンド１４は、ブルニアンリンク１２で互いにリンクされてチェイン１６を形成する。チェイン１６は、ブレスレット１０等のリンク物品を形成するように形作られる。耐久性のある装着可能なアイテム１０を完成させるために、一連の弾性バンドリンクの端が互いに又はクリップ１８で固定される。
【０００８】
各ブルニアンリンクは、一方の弾性バンド１４の端２０を他方の弾性バンド１４の中央部２２で捕捉することによって形成される。各リンク１２は前後のリンク１２に依存して、図示のような所望のリンク物品を維持する。例示としてブレスレット１０が示されているが、他の物品が異なるブルニアンリンク構造を利用して形成されてもよく、それも本開示の範囲及び考慮に入っている。
【０００９】
例示的なブレスレット１０は、完成したブレスレットに審美的変化を加えるためにリンク１２に取り付けられるチャーム２４を含む。この例示では、単列の弾性バンド１４間のリンク１２の中に４つのチャーム２４が固定されているが、他の数、間隔及び方向の例示的なチャーム２４も可能であり、それも本開示の範囲及び考慮に入っている。
【００１０】
図３、４及び５を参照すると、例示的なチャーム２４は、チャーム部２６及び取り付け開口３２を有する取り付け部２８を含む。取り付け開口３２は、リンクアイテム１０内にチャーム２４を保持するように弾性バンド１４と連結される。取り付け部は、ブルニアンリンクを形成するために利用される織機又は他の装置の機構に対応する直径３５（図４）を含む。開口３２のサイズは、弾性バンド１４の端部２０及び中央部２２を含む少なくとも１つのリンク１２が図２に示されているように嵌まることができるようなサイズである。さらに、開口３２のサイズは、チャーム２４が完成したリンクアイテム１０に対して所望の配向を維持するようなサイズでもある。
【００１１】
チャーム部２６は、装飾印、キャラクタ、文字、数又は任意の他の装飾的特徴である。この例示では、チャーム部２６はスマイルフェイスであるが、本開示の範囲及び考慮の中で他の印及び形状も可能である。例えば、リンクアイテム内で隣接するように適切な字を組み合わせることで、名前、位置又は単語を綴る文字の組み合わせを形成することができる。
【００１２】
例示的な取り付け部３０は、第１の側部３８及び第２の側部４０を含む。本開示の例示的な実施形態では、側部３８、４０は、平坦で互いに対して平行である。平坦な側部３８、４０は、図２に示されているように隣接するチャーム２４が互いに対して整列するように配向されることを可能にする。平坦な側部３８、４０は、互いに対して平行であり、距離４６だけ間隔が開いている。この例示では、チャーム部２６は、取り付け部２８の距離４６よりも小さな幅４８を含んでいる。取り付け部２８が側部３８、４０において隣接する一方で、チャーム部２６の小さな幅４８は、隣接するチャーム２６間に間隔が開くことを可能にする。
【００１３】
例示的な取り付け開口３２は、取り付け部２８の外縁に実質的に従う平坦部３７を含む。この例示では、取り付け部２８は、円形の上端３４及び下端３６と共に平坦な側部３８、４０を含んでいる。
【００１４】
この例示では、各平坦な側部３８、４０の長さ４５は等しい。さらに、平坦な側部３８、４０の長さ４５は、取り付け部２８全体よりも長く又は短くてもよい。長さ４５は、平坦な側部３８、４０が隣接するチャーム２４を整列させるように設けられ、整列機能をもたらす異なるサイズであってもよい。
【００１５】
例示的なチャーム２４は、弾性材料から形成される一体構造である。チャーム２４は、平坦な側部３８、４０の幅及び耐久性を可能にするように設けられる厚み４４を含む。平坦な側部３８、４０の幅４４は、隣接するチャーム２４の間に十分な接触面積を与えるように設けられて、所望の整列をもたらす。例示的なチャーム２４に関して、前面４２及び背面４３は実質的に同一である。しかしながら、チャーム部２６の固有形状に依存して、他のチャーム部２６の形状及びサイズは、前面４２及び背面４３に対して異なる形状、サイズ及び質感を有してもよい。
【００１６】
図６を参照すると、チャーム部２６Ａ、２６Ｂ及び２６Ｃの全てが互いに対して所望の配向及び整列を維持するように互いに隣接した３つの例示的なチャーム２４Ａ、２４Ｂ及び２４Ｃが示されている。各チャーム２４Ａ、２４Ｂ及び２４Ｃの整列部は、側壁３８、４０である。隣接する各チャーム２４Ａ、２４Ｂ及び２４Ｃの側壁３８、４０は互いに接触して、チャーム部２６Ａ、２６Ｂ及び２６Ｃの間に均等な間隔がもたらされる。この例示では、第１のチャーム２４Ａの側壁３８Ａが、第２のチャーム２４Ｂの側壁４０Ｂに隣接している。第２のチャーム２４Ｂの第２の側壁３８Ｂが、第３のチャーム２４Ｃの側壁４０Ｃに隣接している。隣接した接触によって、チャームの互いに対する位置及び配向が維持される。チャーム部２６Ａ−２６Ｃに対する取り付け部２８Ａ−２８Ｃのサイズによって、チャーム部２６Ａ−２６Ｃの間の間隔９０が維持される。
【００１７】
チャーム２４Ａ−２４Ｃは、矢印９２によって示されているように場所９４の周りに回転することを防ぐように整列されている。チャーム２６Ａ−２６Ｃが隣り合ったチャームに対して各場所９４の周りに回転しないように、側壁３８、４０は互いに隣接する。さらに、各チャーム２４Ａ、２４Ｂ及び２４Ｃの厚み４４（図５）は、チャーム２６Ａ−２６Ｃの間の多少のずれを調整して重なり合うことを防ぐ。
【００１８】
例示的な壁３８、４０は連続的な直線及び平坦な側部として開示されていることが理解されるべきである。しかしながら、例示的な壁３８、４０は、異なる整列配向をもたらすために、より短く、分割され、又は所定の角度で配置されてもよい。さらに、所望の相対配向の設定を可能にする他の整列構造も本開示の範囲及び考慮に入っている。
【００１９】
図７を参照すると、平坦な側部及びチャーム部５２を備えた取り付け部５４を含む別のチャーム５０が示されている。取り付け部５４は、符号５８で示された円形内側面を含む取り付け開口５６を含む。円形内側面５８は、取り付け部の外側の輪郭に従わない。その代わりに、取り付け開口５６は、連続的な円形の開口をもたらしている。取り付け部及び取り付け開口の他の構成及び形状も利用可能であり、本開示の考慮及び範囲に入っていることが理解されるべきである。
【００２０】
図８を参照すると、別のチャーム６０が、取り付け部６５及びチャーム部７０を含んでいる。取り付け部６５は、取り付け開口７２並びに側部６６及び６８を含む。側部６６、６８は、図６に示されかつ記載されたような隣り合ったチャームを隣接させることにより整列をもたらす。図８に示された例示的なチャーム６０において、側部６６及び６８は、中央の縦軸６２に対して所定の角度６４で配置されている。角度６４は、隣り合ったチャームとの角度の付いた整列をもたらす。角度６４は、わずか数度から約７５度に及んでもよい。本開示の例示的な角度６４は、約６０度である。
【００２１】
図９を参照すると、別の例示的なチャーム７４が、取り付け部７８及びチャーム部７６を含んでいる。取り付け部７８は、平坦な側部８２及び８４並びに湾曲した上側８０を含む。弾性バンドを入れるための円形の取り付け開口７２が設けられる。上の湾曲面８０は、異なる形状で所望の配向を維持して異なる審美性を与えるように直線的な平坦な側部８２、８４を維持する取り付け部７８の別の実施形態を表す。
【００２２】
理解されるように、本開示のチャーム２４、５０、６０及び７４は、本開示の考慮内で可能な形状の例示である。各チャームの実施形態は、所望の配向を隣り合ったチャームに与えるためにチャーム部、取り付け部及び整列部を含む。完成したリンクアイテムに編み込まれる場合、異なる所望の外見を与えるために、特定の構成及び形状が変化してもよい。さらに、材料の色及び質感も変化してもよい。チャーム２４は、弾性バンドに類似した可撓性部分を提供するために弾性材料から形成されてもよい。また、チャーム２４は、プラスチック又は金属等の剛性材料から形成されてもよい。さらに、本開示の例示的なチャーム２４、５０、６０及び７４は全て一体部品であるが、チャームが複数部品アセンブリとして形成され得ることも本開示の考慮に入っている。
【００２３】
例示の実施形態が開示されているが、当業者であれば、所定の変更も本開示の範囲に入ることを認識するであろう。さらに、本開示のいずれの部分も、明示的又は暗示的に、特許請求の範囲を放棄又は限定することを意図していない。いずれの実施形態の記載も、明示的又は暗示的に、以下の請求項に記載の明白かつ通常の意味を制限することを意図していない。例示的な実施形態は、適切に本開示の範囲内である多くの可能な構造及び方法の１つに過ぎない。そのため、以下の請求項を検討して本開示の範囲及び内容を決定するべきである。
【図１】
2020189075.tif 000003
【図２】
2020189075.tif 000004
【図３】
2020189075.tif 000005
【図４】
2020189075.tif 000006
【図５】
2020189075.tif 000007
【図６】
2020189075.tif 000008
【図７】
2020189075.tif 000009
【図８】
2020189075.tif 000010
【図９】
2020189075.tif 000011
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
チャーム部と、
取り付け部と
を備え、前記取り付け部は、前記チャーム部を隣接するチャームのチャーム部と整列させるための少なくとも１つの整列部及び取り付け開口を含み、
前記取り付け部は、少なくとも第１の側部、第２の側部及び第３の側部を含み、前記第１の側部と前記第２の側部との間に取り付け幅を含み、
前記整列部は、前記第１の側部及び前記第２の側部に配置され、
前記チャーム部は、前記第３の側部に配置され、前記取り付け幅よりも小さなチャーム幅を含む、チャーム。
【請求項２】
前記整列部は、平坦な表面を備える、請求項１に記載のチャーム。
【請求項３】
前記平坦な表面は、前記取り付け部の前面に対して垂直である、請求項２に記載のチャーム。
【請求項４】
前記第１の側部は、第２の側部から間隔が開いて設けられ、前記整列部は、前記第１の側部における第１の平坦な表面及び前記第２の側部における第２の平坦な表面を備える、請求項１に記載のチャーム。
【請求項５】
前記第１の平坦な表面及び前記第２の平坦な表面は、互いに対して実質的に平行である、請求項４に記載のチャーム。
【請求項６】
前記第１の平坦な表面及び前記第２の平坦な表面の少なくとも１つは、互いに対して角度が付けられている、請求項５に記載のチャーム。
【請求項７】
前記取り付け幅は、前記第１の平坦な側部と前記第２の平坦な側部との間である、請求項４に記載のチャーム。
【請求項８】
前記取り付け部及び前記チャーム部は、共通の厚みを有する、請求項１に記載のチャーム。
【請求項９】
前記取り付け開口は、直線的な側部並びに曲線のある上端及び底端を含む、請求項１に記載のチャーム。
【請求項１０】
前記取り付け開口は、円形部を備える、請求項１に記載のチャーム。
【請求項１１】
前記チャームは、単一の連続的な一体化部を含む、請求項１に記載のチャーム。
【請求項１２】
チャームを含むリンクアイテムであって、
リンクされた複数の弾性バンドと、
互いに隣接する前記複数の弾性バンド内にリンクされた少なくとも２つのチャームと
を備え、前記少なくとも２つのチャームの各々は、チャーム部及び取り付け部を含み、前記取り付け部は、前記複数の弾性バンドの少なくとも１つを入れるための取り付け開口、及び前記複数の弾性バンド内にリンクされた前記少なくとも２つのチャームの一方の前記チャーム部を前記少なくとも２つのチャームの他方と整列させるための少なくとも１つの整列部を含み、
前記取り付け部は、少なくとも第１の側部、第２の側部及び第３の側部を含み、前記第１の側部と前記第２の側部との間に取り付け幅を含み、
前記整列部は、前記第１の側部及び前記第２の側部に配置され、
前記チャーム部は、前記第３の側部に配置され、前記取り付け幅よりも小さなチャーム幅を含む、リンクアイテム。
【請求項１３】
前記第１の側部及び第２の側部はそれぞれ平坦な表面を備える、請求項１２に記載のリンクアイテム。
【請求項１４】
前記第１の側部及び前記第２の側部は互いに対して実質的に平行な平坦な表面を備える、請求項１２に記載のリンクアイテム。
【外国語明細書】
2020189075000001.pdf